【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
複数の画素を有する固体撮像素子と、
前記固体撮像素子への光路を開放するための先幕と、前記光路を遮蔽するための後幕とを有するシャッターと、
前記先幕及び後幕の通過を、前記シャッターの走行方向の複数位置で検知する検知手段と、
前記複数位置の各位置において前記検知手段が前記先幕の通過を検知してから予め設定された時間経過後、前記後幕の通過を検知する前に、前記各位置から前記固体撮像素子の画素のリセットを順次行うリセット手段と
を有することを特徴とする画像入力装置。
【請求項２】
前記シャッターは、前記固体撮像素子の画素のラインと垂直な方向に前記先幕と後幕とを走行させるフォーカルプレーンシャッターであり、前記リセット手段は、前記固体撮像素子をライン毎にリセットすることを特徴とする請求項１に記載の画像入力装置。
【請求項３】
前記固体撮像素子は、インターレースまたはフレーム読み出しのインターラインCCD、またはCMOSセンサであることを特徴とする請求項１に記載の画像入力装置。
【請求項４】
前記リセット手段は、前記固体撮像素子と一体的に構成されていることを特徴とする請求項１に記載の画像入力装置。
【請求項５】
前記検知手段は発光部と受光部とを有し、該発光部と受光部の間を前記先幕及び後幕の一部が通過するように配置したことを特徴とする請求項１乃至４のいずれか１項に記載の画像入力装置。
【請求項６】
前記検知手段は受光部を有し、前記受光部の前面を前記先幕及び後幕の一部が通過するように配置したことを特徴とする請求項１乃至４のいずれか１項に記載の画像入力装置。
【請求項７】
前記検知手段は前記固体撮像素子の端部に一体的に構成された発光部と受光部とを有し、前記検知手段の前面を前記先幕及び後幕の一部が通過するように配置したことを特徴とする請求項１乃至４のいずれか１項に記載の画像入力装置。
【請求項８】
前記検知手段は前記固体撮像素子の端部に一体的に構成された受光部を有し、前記受光部の前面を前記先幕及び後幕の一部が通過するように配置したことを特徴とする請求項１乃至４のいずれか１項に記載の画像入力装置。
【請求項９】
前記検知手段は、発光部と、前記個体撮像素子の端部に一体的に構成された受光部とを有し、該発光部と受光部の間を前記先幕及び後幕の一部が通過するように配置したことを特徴とする請求項１乃至４のいずれか１項に記載の画像入力装置。
【請求項１０】
複数の画素を有する固体撮像素子と、前記固体撮像素子への光路を開放するための先幕と、前記光路を遮蔽するための後幕とを有するシャッターと、前記先幕及び後幕の通過を検知する検知手段とを有する画像入力装置の制御方法であって、
前記検知手段により前記先幕の通過を前記シャッターの走行方向の複数位置で検知する工程と、
前記複数位置の各位置において前記先幕の通過を検知してから予め設定された時間経過後、前記検知手段が前記後幕の通過を検知する前に、前記各位置から前記固体撮像素子の画素のリセットを順次行う工程と
を有することを特徴とする制御方法。
【請求項１１】
複数の画素を有する固体撮像素子と、
前記固体撮像素子への光路を開放するための先幕と、前記光路を遮蔽するための後幕とを有するシャッターと、
前記先幕の駆動速度を検知する検知手段と、
前記先幕が通過した後で前記後幕が通過していない前記固体撮像素子のエリアにおいて、前記検知手段により検知された前記先幕の駆動速度に応じて、前記固体撮像素子の画素のリセットを順次行うリセット手段と
を有することを特徴とする画像入力装置。
【請求項１２】
複数の画素を有する固体撮像素子と、前記固体撮像素子への光路を開放するための先幕と、前記光路を遮蔽するための後幕とを有するシャッターとを有する画像入力装置の制御方法であって、
前記先幕の通過を、前記シャッターの走行方向の複数位置で検知する工程と、
前記先幕が通過した後で前記後幕が通過していない前記固体撮像素子のエリアにおいて、前記先幕の通過を検知してから予め設定された時間経過後、前記固体撮像素子の画素のリセットを順次行うリセット工程と
を有することを特徴とする制御方法。
【請求項１３】
複数の画素を有する固体撮像素子と、前記固体撮像素子への光路を開放するための先幕と、前記光路を遮蔽するための後幕とを有するシャッターとを有する画像入力装置の制御方法であって、
前記先幕の駆動速度を検知する工程と、
前記先幕が通過した後で前記後幕が通過していない前記固体撮像素子のエリアにおいて、前記先幕の駆動速度の検知結果に応じて、前記固体撮像素子の画素のリセットを順次行うリセット手段と
を有することを特徴とする制御方法。
【手続補正２】
【補正対象書類名】明細書
【補正対象項目名】０００３
【補正方法】変更
【補正の内容】
【０００３】
特に、インターレース読み出しのインターライン（IT）CCDやフレーム読み出し（FT）CCD、あるいは、CMOSセンサなどのイメージセンサを用いる場合、センサを蓄積状態にしておき、その状態で機械的シャッタを開閉することにより露光を行うのが一般的である。
【手続補正３】
【補正対象書類名】明細書
【補正対象項目名】００１５
【補正方法】変更
【補正の内容】
【００１５】
上記目的を達成するために、本発明の画像入力装置は、複数の画素を有する固体撮像素子と、前記固体撮像素子への光路を開放するための先幕と、前記光路を遮蔽するための後幕とを有するシャッターと、前記先幕及び後幕の通過を、前記シャッターの走行方向の複数位置で検知する検知手段と、前記複数位置の各位置において前記検知手段が前記先幕の通過を検知してから予め設定された時間経過後、前記後幕の通過を検知する前に、前記各位置から前記固体撮像素子の画素のリセットを順次行うリセット手段とを有する。
【手続補正４】
【補正対象書類名】明細書
【補正対象項目名】００１６
【補正方法】変更
【補正の内容】
【００１６】
また、複数の画素を有する固体撮像素子と、前記固体撮像素子への光路を開放するための先幕と、前記光路を遮蔽するための後幕とを有するシャッターと、前記先幕及び後幕の通過を検知する検知手段とを有する本発明の画像入力装置の制御方法は、前記検知手段により前記先幕の通過を前記シャッターの走行方向の複数位置で検知する工程と、前記複数位置の各位置において前記先幕の通過を検知してから予め設定された時間経過後、前記検知手段が前記後幕の通過を検知する前に、前記各位置から前記固体撮像素子の画素のリセットを順次行う工程とを有する。
また、上記目的を達成するために、本発明の別の画像入力装置は、複数の画素を有する固体撮像素子と、前記固体撮像素子への光路を開放するための先幕と、前記光路を遮蔽するための後幕とを有するシャッターと、前記先幕の駆動速度を検知する検知手段と、前記先幕が通過した後で前記後幕が通過していない前記固体撮像素子のエリアにおいて、前記検知手段の出力に応じて、前記固体撮像素子の画素のリセットを順次行うリセット手段とを有する。
更に、複数の画素を有する固体撮像素子と、前記固体撮像素子への光路を開放するための先幕と、前記光路を遮蔽するための後幕とを有するシャッターとを有する本発明の画像入力装置の別の制御方法は、前記先幕が通過した後で前記後幕が通過していない前記固体撮像素子のエリアにおいて、前記先幕の通過を検知してから予め設定された時間経過後、前記固体撮像素子の画素のリセットを順次行うリセット工程とを有する。
更に、複数の画素を有する固体撮像素子と、前記固体撮像素子への光路を開放するための先幕と、前記光路を遮蔽するための後幕とを有するシャッターとを有する本発明の画像入力装置の別の制御方法は、前記先幕の駆動速度を検知する工程と、前記先幕が通過した後で前記後幕が通過していない前記固体撮像素子のエリアにおいて、前記先幕の駆動速度の検知結果に応じて、前記固体撮像素子の画素のリセットを順次行うリセット手段とを有する。
【手続補正５】
【補正対象書類名】明細書
【補正対象項目名】００２２
【補正方法】変更
【補正の内容】
【００２２】
シャッター幕検出装置９は、発光部９１（図２（ｂ）では９１ー１〜ｎ）と、受光部９２（図２（ｂ）では９２ー１〜ｎ）とから成るフォトインタラプタ９０（図２（ｂ）では９０ー１〜ｎ）をシャッター幕の走行方向に複数個並べた構成を有する。フォトインタラプタ９０は個体撮像素子６のＮラインに１つの割合で設けられ、発光部９１と受光部９２の間を先幕３及び後幕４が通過するように配置される。図２から判るように、先幕３と後幕４のスリット部分にあるフォトインタラプタ９０の受光部９２が発光部９１からの光を受光することができるため、先幕３または後幕４により発光部９１の光が遮られているときは、受光部９２からの出力は低くなり、発光部９１と受光部９２との間に先幕３及び後幕４が無いときには、受光部９２からの出力は高くなる。
【手続補正６】
【補正対象書類名】明細書
【補正対象項目名】００２３
【補正方法】変更
【補正の内容】
【００２３】
図３は、シャッター幕検出装置９の各フォトインタラプタ９０‐１〜９０‐ｎからの出力の一例及び、個体撮像素子６のラインリセット送りパルスを示すタイミングチャートである。
【手続補正７】
【補正対象書類名】明細書
【補正対象項目名】００２４
【補正方法】変更
【補正の内容】
【００２４】
図３に示すように、シャッター幕検出装置９の出力は上のフォトインタラプタ９０‐１から順に、先幕３及び後幕４が移動して、共にフォトインタラプタ９０を遮らない間、出力が高くなる。このフォトインタラプタ９０‐１〜ｎからの出力値（パルス）は制御回路９に入力し、制御回路８はこのパルスに従って、幕走行間隔検出パルスを生成する。さらに、幕走行間隔検出パルス間に、上述したフォトインタラプタ９０の配置間隔（Ｎライン）に対応するようにＮ個のパルスを発生させたラインリセット送りパルスを生成し、このパルスをセンサ駆動回路７に入力する。センサ駆動回路７はこのパルスが入力されるごとに１ライン目から順に２、３、４、…、ｍ、ｍ＋１ライン目と言うように、個体撮像素子６のライン毎に画素１４のリセットを行っていく。
【手続補正８】
【補正対象書類名】明細書
【補正対象項目名】００３２
【補正方法】変更
【補正の内容】
【００３２】
図４は本第２の実施形態における個体撮像素子６と先幕３及び後幕４、さらにはシャッター幕検出装置９の配置を示す図であり、（ａ）はレンズ１側から見た正面図、（ｂ）はシャッター幕検出装置９部分の断面図であって、矢印の方向から光が入射する。図４から分かるように、先幕３と後幕４のスリット部分に対応する行の画素が露光される。
【手続補正９】
【補正対象書類名】明細書
【補正対象項目名】００３５
【補正方法】変更
【補正の内容】
【００３５】
なお、本第２の実施形態の構成では、第１の実施形態の構成から発光部を省略した形で実現することができる。
【手続補正１０】
【補正対象書類名】明細書
【補正対象項目名】００４９
【補正方法】変更
【補正の内容】
【００４９】
図１１は本発明の第５の実施形態の個体撮像素子３０と先幕３及び後幕４、及び、発光ダイオード２０の部分を示す図である。同図において、発光ダイオード２０が発光した光は、先幕３及び後幕４に遮られないスリット部分のみシャッター２を通過して、シャッター幕検出部３１のフォトダイオード３４に到達する。従って、シャッター幕検出部３１からは、図３の９１‐１〜ｎに示すような信号が出力されることになる。
【手続補正１１】
【補正対象書類名】図面
【補正対象項目名】図８
【補正方法】変更
【補正の内容】
【図８】
2005159418.tif 000001
【手続補正１２】
【補正対象書類名】図面
【補正対象項目名】図１１
【補正方法】変更
【補正の内容】
【図１１】
2005159418.tif 000002